(57)【要約】【課題】ワンウェイクラッチとトルクリミッタとの双方の機能を有した歯車部材及び当該歯車部材を備えた情報処理装置を提供する。【解決手段】情報処理装置としてのＣＤプレーヤは搬送ユニットと押圧機構とを備えている。搬送ユニットは機器本体の内外にＣＤを搬送する。押圧機構は搬送ユニットが機器本体外にＣＤを排出する際に搬送ユニットとＣＤとが互いに滑るとＣＤを機器本体外に向かって押圧する。押圧機構は歯車部材４８を備えている。歯車部材４８が第１の歯車４９と第２の歯車５０とねじりコイルばね５５を備えている。ねじりコイルばね５５は第２の歯車５０に取り付けられるコイル部６１と第１の歯車４９に取り付けられる腕部６２を備えている。第１の歯車４９が第２の歯車５０に対して矢印Ｂ方向に回転する際に第１の歯車４９の回転トルクが予め定められた所定のトルクを超えるとコイル部６１が第２の歯車５０に対して滑る。【選択図】図２６
2008115873.tif 000002
【特許請求の範囲】
【請求項１】
第１の歯車と、
この第１の歯車と同軸に配されて当該第１の歯車に取り付けられた第２の歯車と、
前記第１の歯車が前記第２の歯車に対して第１の方向に回転する際に、当該第１の方向の回転が前記第２の歯車に伝わることを規制し、かつ前記第１の歯車が前記第２の歯車に対して前記第１の方向と逆向きの第２の方向に回転する際に、当該第２の方向の回転が前記第２の歯車に伝わることを許容するクラッチ部材と、を備えた歯車部材において、
前記クラッチ部材が、前記第１の歯車に取り付けられる第１取付部と、前記第２の歯車に取り付けられる第２取付部と、備え、
前記第１の歯車が前記第２の歯車に対して前記第２の方向に回転する際に、前記第１の歯車の回転トルクが予め定められた所定のトルクを超えると、前記第１取付部と前記第２取付部とのうち一方が滑る構成となっていることを特徴とする歯車部材。
【請求項２】
前記第２取付部が、内側に前記第２の歯車の軸部を通す弾性体のコイル部であり、
前記第１取付部が、前記第１の歯車に係止するとともに前記コイル部に連なった腕部であることを特徴とする請求項１記載の歯車部材。
【請求項３】
前記コイル部の内径が、前記軸部の外径以下であることを特徴とする請求項２記載の歯車部材。
【請求項４】
機器本体と、
前記機器本体の内外に記録媒体を搬送する搬送ユニットと、
前記搬送ユニットによって機器本体内に搬送された記録媒体をクランプして、当該記録媒体から情報を読み出すクランプ再生ユニットと、を備えた情報処理装置において、
駆動源からの動力を伝達するために請求項１乃至請求項３のうちいずれか一項に記載の歯車部材を設けたことを特徴とする情報処理装置。
【請求項５】
前記搬送ユニットが前記機器本体外に前記記録媒体を排出する際に、前記搬送ユニットとともに駆動するとともに、前記搬送ユニットと前記記録媒体とが互いに滑ると前記記録媒体を前記機器本体外に向かって押圧する押圧機構を備え、
前記押圧機構が、駆動源からの動力を伝達するために前記歯車部材を備えたことを特徴とする請求項４記載の情報処理装置。
【発明の詳細な説明】
【技術分野】
【０００１】
本発明は、例えば、Compact Discなどの記録媒体から情報を読み出す情報処理装置などに用いられる歯車部材及び当該歯車部材を備えた情報処理装置に関する。
【背景技術】
【０００２】
例えば、移動体としての自動車のインストルメントパネル（以下インパネと呼ぶ）には、情報処理装置としてのＣＤプレーヤ（例えば、特許文献１参照）が取り付けられる。ＣＤプレーヤは、記録媒体としてのCompact Disc（以下ＣＤと呼ぶ）が記録した情報を読み出す。
【０００３】
前記ＣＤプレーヤは、前記インパネに取り付けられる機器本体と、前記機器本体に開口した記録媒体挿入口と、搬送ユニットと、前記ＣＤに記録された情報を読み出すための再生ユニット等を備えている。機器本体は、複数の板金などが互いに組み付けられて箱状に形成されたシャーシを備えている。記録媒体挿入口は、内側に前記ＣＤが通される。
【０００４】
搬送ユニットは、記録媒体挿入口内を通されたＣＤを所定の再生位置まで搬送したり、前記再生位置からＣＤを記録媒体挿入口まで搬送して該ＣＤを機器本体内から排出する。搬送ユニットは、互いに接離自在に設けられた一対の挟持部材を備えている。
【０００５】
これら一対の挟持部材のうち一方は、モータなどの駆動源によって回転駆動される搬送ローラを備えている。搬送ローラは、前記モータなどの駆動源によって回転駆動されることによって、ＣＤを搬送する。他方の挟持部材は、摩擦係数の小さい滑り部材を備えている。滑り部材は、前記搬送ローラとの間に前記ＣＤを挟んで、該ＣＤの搬送方向を案内する。搬送ユニットは、一対の挟持部材間にＣＤを挟んで、前記ＣＤを搬送する。
【０００６】
再生ユニットは、前記ＣＤを回転するために回転テーブルと、前記ＣＤに記録された情報を読み出すための光ピックアップ等を備えている。再生ユニットは、前記ＣＤを前記再生位置に位置決め（クランプ）して、回転テーブルがＣＤを回転して、光ピックアップが前記ＣＤに記録された情報を読み出す。
【０００７】
前記ＣＤが記録媒体挿入口を通して機器本体内に挿入されると、まず、ＣＤが前記一対の挟持部材間に挟まれる。搬送ローラの回転によってＣＤが機器本体内に搬送される。
【０００８】
そして、前記ＣＤは再生ユニットにクランプされて、回転テーブルがＣＤを回転させて、該再生ユニットによって情報を取り出される。情報処理装置は、取り出された情報を音声として出力する。ＣＤを機器本体外に搬出する際には、まず、回転テーブルの回転を止める。搬送ユニットの搬送ローラを先ほどとは逆方向に回転させて、ＣＤを記録媒体挿入口内に通して機器本体内から機器本体外に徐々に搬送する。
【特許文献１】特開２０００−２０７８０２号公報
【発明の開示】
【発明が解決しようとする課題】
【０００９】
前述したＣＤプレーヤは、駆動源としてのモータからの駆動力によって、搬送ローラを回転したり、再生ユニットにクランプ動作を行わせるために、複数の歯車部材で構成される動力伝達機構を備えている。この種の動力伝達機構には、二つの歯車が相対的に一方向のみに回転する際に駆動力を伝達し、他方向に回転する際に駆動力を伝達しないワンウェイクラッチや、二つの歯車のうち一方に加えられる回転トルクが所定のトルクを超えるとこれら二つの歯車が相対的に滑るトルクリミッタなどが用いられている。
【００１０】
前述した動力伝達機構では、互いに別体のワンウェイクラッチとトルクリミッタなどを用いる必要があった。しかしながら、前述した自動車などに搭載されるＣＤプレーヤなどの情報処理装置は、より小型で多機能であることが求められている。このため、前述した動力伝達機構の部品点数の削減を図り、当該動力伝達機構の小型化を図ることが求められている。このため、前述したワンウェイクラッチとトルクリミッタとの双方の機能を有した歯車部材が望まれている。また、従来のワンウェイクラッチは一方の歯車の駆動力を他方の歯車に一方向のみ伝達させるために両歯車の当接部分に鋸歯部を設けるラチェット構造であるため、一方の歯車の駆動力を他方の歯車に伝達させない方向に回転する場合には、鋸歯部の噛合が外れる際に異音が発生するという問題があった。
【００１１】
したがって、本発明の目的は、例えば、ワンウェイクラッチとトルクリミッタとの双方の機能を有し、かつ回転時に異音の発生しない歯車部材及び当該歯車部材を備えた情報処理装置を提供することにある。
【課題を解決するための手段】
【００１２】
前記課題を解決し目的を達成するために、請求項１に記載の本発明の歯車部材は、第１の歯車と、この第１の歯車と同軸に配されて当該第１の歯車に取り付けられた第２の歯車と、前記第１の歯車が前記第２の歯車に対して第１の方向に回転する際に、当該第１の方向の回転が前記第２の歯車に伝わることを規制し、かつ前記第１の歯車が前記第２の歯車に対して前記第１の方向と逆向きの第２の方向に回転する際に、当該第２の方向の回転が前記第２の歯車に伝わることを許容するクラッチ部材と、を備えた歯車部材において、前記クラッチ部材が、前記第１の歯車に取り付けられる第１取付部と、前記第２の歯車に取り付けられる第２取付部と、備え、前記第１の歯車が前記第２の歯車に対して前記第２の方向に回転する際に、前記第１の歯車の回転トルクが予め定められた所定のトルクを超えると、前記第１取付部と前記第２取付部とのうち一方が滑る構成となっていることを特徴としている。
【００１３】
請求項４に記載の本発明の情報処理装置は、機器本体と、前記機器本体の内外に記録媒体を搬送する搬送ユニットと、前記搬送ユニットによって機器本体内に搬送された記録媒体をクランプして、当該記録媒体から情報を読み出すクランプ再生ユニットと、を備えた情報処理装置において、駆動源からの動力を伝達するために請求項１乃至請求項３のうちいずれか一項に記載の歯車部材を設けたことを特徴としている。
【発明を実施するための最良の形態】
【００１４】
以下、本発明の一実施形態にかかる歯車部材及び情報処理装置を説明する。本発明の一実施形態にかかる歯車部材は、第１の歯車と第２の歯車との間に設けられたクラッチ部材の第１及び第２取付部の一方が、第１の歯車に作用する回転トルクが所定のトルクを超えると、第１及び第２の歯車のうち一方に対して滑るので、歯車部材は、ワンウェイクラッチとトルクリミッタとの双方の機能を有している。
【００１５】
また、クラッチ部材を、第２取付部としての弾性体のコイル部と、第１取付部としての腕部とを有したねじりコイルばねとしても良い。この場合、簡便な構成でクラッチ部材を得ることができるとともに、回転時に異音を発生させることがない。また、コイル部の内径が、前記軸部の外径以下であっても良い。この場合、回転時に異音を発生させることがない。
【００１６】
さらに、情報処理装置は、前述した歯車部材を備えていても良い。この場合、ワンウェイクラッチとトルクリミッタとの双方の機能を有した歯車部材を備えているので、機器本体即ち情報処理装置全体の小型化を図ることができる。
【００１７】
また、情報処理装置の押圧機構が前述した歯車部材を備えても良い。この場合、駆動源からの駆動力の伝達経路の歯車部材の以降に動力を伝達したり、動力を伝達しないようにしたり、伝達される回転トルクを所定のトルクを超えることを防止できる。
【実施例】
【００１８】
以下、本発明の実施例にかかる情報処理装置の一例としてのＣＤプレーヤ１を、図１ないし図２８に基づいて説明する。図１などに示すＣＤプレーヤ１は、移動体としての自動車のインストルメントパネル（以下、インパネと呼ぶ）などに取り付けられて、外径が例えば１２ｃｍの記録媒体としてのＣＤ２を後述する機器本体３内に収容する。
【００１９】
ＣＤプレーヤ１は、このＣＤ２を機器本体３内に収容して、このＣＤ２に記録された情報を取り出して（再生して）、音声として出力する。なお、ＣＤ２は、勿論、ディスク形に形成されており、特許請求の範囲に記載された記録媒体をなしているとともに、円板状のコンピュータなどの電子機器で情報を読み取り可能な記録媒体である。
【００２０】
ＣＤプレーヤ１は、図１などに示すように、機器本体３（図１などに示す）と、駆動源としてのモータ４（図６などに示す）と、搬送手段としての搬送ユニット５（図６などに示す）と、クランプ再生手段としてのクランプ再生ユニット６（図２及び図３に示す）と、連動機構７（図３及び図４に示す）と、押圧機構８（図５などに示す）とを備えている。なお、以下、ＣＤ２の表面と搬送ユニットのＣＤ２の搬送方向Ｋとの双方と平行な図１中の矢印ＹをＣＤプレーヤ１の奥行き方向と記し、ＣＤ２の表面と平行でかつ前記奥行き方向Ｙと直交する矢印ＸをＣＤプレーヤ１の幅方向と記し、ＣＤ２の表面と奥行き方向Ｙと幅方向Ｘの全てと直交する矢印ＺをＣＤプレーヤ１の厚み方向と記す。
【００２１】
機器本体３は、外側ケース９（図１に示す）と、シャーシ１０（図２及び図３に示す）とを備えている。外側ケース９は、合成樹脂で構成され、かつ扁平な箱状に形成されている。外側ケース９は、ＣＤプレーヤ１の外殻をなしている。外側ケース９の前述したインパネに取り付けると乗員に相対する前面９ａ（図１に示す）には、ＣＤ２を出し入れ可能な挿入口１１が一つのみ設けられている。なお、前面９ａは、外側ケース９即ちＣＤプレーヤ１がインパネに取り付けられると、該インパネの外側に露出する機器本体３の一つの面である。
【００２２】
挿入口１１は、外側ケース９の外壁を貫通している。挿入口１１は、内側にＣＤ２を通すことができる。挿入口１１を通して、前記ＣＤ２は、外側ケース９則ち機器本体３内に収容されたり、該外側ケース９則ち機器本体３内から排出される。即ち、挿入口１１は、機器本体３の内外を連通して、機器本体３にＣＤ２を出し入れ自在とする。
【００２３】
さらに、前述した前面９ａには、表示パネルとしての蛍光表示管１２と、各種のスイッチ１３とが設けられている。
【００２４】
蛍光表示管１２は、前面９ａに露出して、使用者に対し各種の情報を表示する表示領域としての表示面を備えている。蛍光表示管１２は、表示面に再生中のプログラム名等の情報を表示する。
【００２５】
各種のスイッチ１３は、使用者が操作するための操作部を構成している。スイッチ１３が使用者などに操作されることによって、例えば、クランプ再生ユニット６が再生するＣＤ２のプログラムの選択や、このＣＤ２の出し入れなどが行われる。
【００２６】
シャーシ１０は、外側ケース９内に収容されているとともに、該外側ケース９に固定されている。シャーシ１０は、図２及び図３に示すように、天井板１４と、一対の側板１５とを備えて、板金などで構成されている。
【００２７】
天井板１４は、外側ケース９の天井壁の内面に重ねられている。一対の側板１５は、天井板１０の幅方向の両縁から外側ケース９の底壁の内面に向かって立設している。一対の側板１５は、互いに間隔をあけて平行に配置されている。
【００２８】
モータ４は、シャーシ１０に固定されているとともに、挿入口１１と図２及び図３中右側に位置する一方の側板１５の近傍に配置されている。モータ４の出力軸には、勿論、ピニオンが取り付けられている。
【００２９】
搬送ユニット５は、図６に示すように、図示しないディスクガイドと、ローラアーム１６とを備えている。ディスクガイドは、合成樹脂で構成されかつ帯板状に形成されている。ディスクガイドは、シャーシ１０の天井板１４の挿入口１１寄りの縁部に取り付けられている。ディスクガイドは、その長手方向が幅方向Ｘと平行に配置されている。
【００３０】
ローラアーム１６は、ディスクガイドと厚み方向Ｚに沿って間隔をあけて配置されて、シャーシ１０に厚み方向Ｚに沿って移動自在に支持されている。ローラアーム１６には、モータ４によって回転駆動される搬送ローラ１７が取り付けられている。
【００３１】
ローラアーム１６とディスクガイドとは、ローラアーム１６が厚み方向Ｚに沿って移動することで、互いに接離自在に設けられている。搬送ユニット５は、ローラアーム１６とディスクガイドとが互いに近づいて、これらの間にＣＤ２を挟み込んで、搬送ローラ１７がモータ４に回転駆動されることで、ＣＤ２を機器本体３に出し入れする。即ち、搬送ローラ１７は、機器本体３の内外にＣＤ２を搬送する。搬送ユニット５は、ＣＤ２の両表面と平行な方向Ｋ（図３中に矢印で示し、特許請求の範囲に記載された出し入れ方向に相当し、以下、搬送方向と呼ぶ）に沿って、該ＣＤ２を搬送する。また、搬送ユニット５は、クランプ再生ユニット６がＣＤ２をクランプして該ＣＤ２の情報を読み取る際に、ローラアーム１６とディスクガイドとが互いに離れて、クランプ再生ユニット６の動作を妨げることがない。このように、搬送ユニット５は、機器本体３の内外にＣＤ２を搬送する。
【００３２】
クランプ再生ユニット６は、図２及び図３に示すように、互いに接離自在に設けられた図示しないキャリッジシャーシと、クランプアーム１８とを備えている。キャリッジシャーシには、回転自在に支持された回転テーブルと、当該回転テーブルに接離自在に設けられた光ピックアップ部とが取り付けられている。
【００３３】
クランプアーム１８には、回転テーブルとの間にＣＤ２を挟んで、当該ＣＤ２をクランプするクランパ１９が取り付けられている。なお、本明細書では、回転テーブルとクランパ１９との間に挟まれた際のＣＤ２の位置及び回転テーブルとクランパ１９との間に挟まれることが可能なＣＤ２の位置を所定の位置としての再生位置とする。また、挿入口１１と前記再生位置との間は、ＣＤ２の搬送経路をなしている。
【００３４】
前述したクランプ再生ユニット６は、搬送ユニット５によって機器本体３内に挿入されたＣＤ２をキャリッジシャーシとクランプアーム１８との間に挟んで、ＣＤ２を回転テーブルが回転させて、当該ＣＤ２の情報を光ピックアップ部が読み出して再生する。
【００３５】
連動機構７は、図３及び図４に示すように、複数のカムピンと、複数の伝達歯車２０（図８などに一部示す）と、スライドカム２１と、スライドラック２４と、を備えている。カムピンの一部は、ローラアーム１６の幅方向Ｘの図６中右側の端部から該幅方向Ｘに沿って突出している。カムピンの他の一部は、キャリッジシャーシの幅方向Ｘの図６中右側の端部から該幅方向Ｘに沿って突出している。カムピンの別の他の一部は、クランプアーム１８の幅方向Ｘの図６中右側の端部から該幅方向Ｘに沿って突出している。
【００３６】
伝達歯車２０は、互いに噛み合っているとともに、シャーシ１０の図２中右側に位置する側板１５に回転自在に支持されている。一つの伝達歯車２０は、モータ４に取り付けられたピニオンと噛み合っているとともに、他の一つの伝達歯車２０は、後述する第１の歯車４９と一体に形成されて、スライドカム２１に支持された後述するスライドラック２４と噛み合うことが可能な位置に配置されている。
【００３７】
スライドカム２１は、合成樹脂で構成されかつ帯板状に形成されている。スライドカム２１は、その長手方向が奥行き方向Ｙと平行な状態で前述した一方の側板１５の内側に重ねられた状態で配置されている。スライドカム２１は、奥行き方向Ｙに沿ってスライド自在に、前述した一方の側板１５に支持されている。
【００３８】
スライドカム２１は、カム本体２５と、押圧突起２３（図８に示す）とを備えている。カム本体２５は、帯板状に形成され、かつ前述したカムピンが侵入するカム溝が複数設けられている。
【００３９】
押圧突起２３は、カム本体２５の挿入口１１寄りの一端部に設けられ、かつカム本体２５から厚み方向Ｚに沿って、天井板１４に向かって突出している。押圧突起２３は、押圧機構８の後述する移動部材５１と当接可能な位置に配置されている。
【００４０】
スライドラック２４は、スライドカム２１に対して所定の長さだけスライド可能に支持されているとともに、挿入口１１から離れる方向に付勢されている。スライドラック２４は、スライドカム２１と一体となって移動可能である。スライドラック２４は、その長手方向がカム本体２５の長手方向即ち奥行き方向Ｙと平行に配置されているとともに、スライドカム２１の長手方向の中央部に配置されている。スライドラック２４には、被押圧突起２２（図８に示す）が幅方向Ｘに沿って機器本体３の内側に突出している。被押圧突起２２は、押圧機構８の後述するスライド部材４１の押圧突起４５と当接可能な位置に配置されている。スライドラック２４は、挿入口１１から最も離れた位置に配置されると、伝達歯車２０との噛み合いが解除され、かつ前述した最も離れた位置よりも挿入口１１寄りに位置付けられると、伝達歯車２０と噛み合う位置に配置されている。
【００４１】
前述した構成の連動機構７は、ＣＤ２を搬送する際には、スライドカム２１を挿入口１１から最も離れた位置に配置して、搬送ユニット５のディスクガイドとローラアーム１６の搬送ローラ１７とを互いに近づけ、キャリッジシャーシとクランプアーム１８とを互いに遠ざけておく。連動機構７は、搬送ユニット５によって再生位置に向かってＣＤ２が移動されるのに連動して、スライドラック２４とスライドカム２１とを挿入口１１に向かって徐々に移動させて、カムピンをカム溝内に徐々に移動させる。そして、連動機構７は、搬送ユニット５によって再生位置にＣＤ２が位置付けられると、キャリッジシャーシとクランプアーム１８とを互い近づけて回転テーブルとクランパ１９との間にＣＤ２を挟むとともに、搬送ユニット５のディスクガイドとローラアーム１６の搬送ローラ１７とを互いに遠ざけて、これらのディスクガイドとローラアーム１６の搬送ローラ１７がＣＤ２に干渉することを規制する。このように、連動機構７は、搬送ユニット５とクランプ再生ユニット６の動作を連動させる。
【００４２】
押圧機構８は、図２及び図３に示すように、案内機構部２６と、スライド機構部２７と、移動部材駆動部２８（図４及び図５に示す）と、移動部２９（図４及び図５に示す）とを備えている。
【００４３】
案内機構部２６は、図２に示すように、一対の案内アーム３０と、一つのリンクアーム３１と、付勢手段としてのばね３２とを備えている。
【００４４】
一対の案内アーム３０は、それぞれ、クランプアーム１８に取り付けられ、かつ幅方向Ｘ即ち挿入口１１の長手方向に沿って、互いに間隔をあけて配置されている。
【００４５】
一対の案内アーム３０は、それぞれ、帯状のアーム本体３３と、突出ピン３４（図３に示す）と、被押圧部としての切欠き３５と、歯車部３６とを備えている。一対の案内アーム３０それぞれのアーム本体３３は、ＣＤ２を機器本体３外に排出した状態で、その長手方向が幅方向Ｘと平行な状態に配置されている。
【００４６】
一対の案内アーム３０のアーム本体３３は、側板１５寄りの一端部３３ａを中心として、回転自在にクランプアーム１８に支持されている。また、一対の案内アーム３０のうちの図２中右側に位置する一方の案内アーム３０には、被押圧部としての被押圧片３７が一体に設けられている。被押圧片３７は、案内アーム３０のアーム本体３３が幅方向Ｘと平行な状態で、案内アーム３０のアーム本体３３の一端部３３ａから奥行き方向Ｙに沿って挿入口１１から離れる方向に突出している。
【００４７】
前述した一対の案内アーム３０のアーム本体３３は、図３及び図４に示す長手方向が前記幅方向Ｘに沿う初期位置と、この初期位置から一端部３３ａを中心として、他端部３３ｂが互いに離れる方向に回転して、図１２に示す挿入位置とに亘って、変位可能にクランプアーム１８に回転自在に支持されている。
【００４８】
突出ピン３４は、アーム本体３３の他端部３３ｂから天井板１４から離れる方向即ち機器本体３の内側に向かって突出している。被押圧部としての切欠き３５は、一対の案内アーム３０のうちの図２中に右側に位置する一方の案内アーム３０のアーム本体３３の一端部３３ａに設けられている。切欠き３５は、案内アーム３０のアーム本体３３が幅方向Ｘと平行な状態で、一端部３３ａの側板１５寄りでかつ挿入口１１寄りの縁部を切り欠いて形成されている。歯車部３６は、一対の案内アーム３０のアーム本体３３の一端部３３ａの挿入口１１寄りでかつ側板１５寄りの縁部に設けられている。
【００４９】
リンクアーム３１は、直線状に伸びた帯板状に形成されている。リンクアーム３１は、その長手方向が幅方向Ｘと平行な状態でクランプアーム１８上に重ねられて、幅方向Ｘ即ち搬送方向Ｋに対して交差（図示例では直交）する方向に沿って、スライド自在にクランプアーム１８に支持されている。
【００５０】
リンクアーム３１は、長手方向の両端部に案内アーム３０の歯車部３６と噛み合うラック部３８が一体に設けられている。なお、図２中左側に位置する他方の案内アーム３０のアーム本体３３の歯車部３６とリンクアーム３１のラック部３８との間には、一つの中間歯車３９が設けられている。即ち、他方の案内アーム３０のアーム本体３３の歯車部３６とリンクアーム３１のラック部３８とは、中間歯車３９を介して、互いに噛み合っている。
【００５１】
リンクアーム３１は、幅方向Ｘに沿ってクランプアーム１８に対してスライドすることで、他端部３３ｂが互いに接離するように、一対の案内アーム３０のアーム本体３３を同期させて回転させる。こうして、リンクアーム３１は、一対の案内アーム３０のアーム本体３３を同期させて回転させて、一対の案内アーム３０を前記初期位置と挿入位置とに亘って変位させる。
【００５２】
ばね３２は、クランプアーム１８とリンクアーム３１との間に設けられ、一対の案内アーム３０のアーム本体３３の他端部３３ｂ即ち突出ピン３４同士が近づく方向に、リンクアーム３１を付勢している。このため、案内アーム３０は、ＣＤ２を搬送していない状態では、前述した初期位置に位置付けられる。
【００５３】
前述した構成の案内機構部２６は、案内アーム３０が前述した初期位置に付勢され、かつ突出ピン３４にＣＤ２の外縁が当接することで、突出ピン３４に当接したＣＤ２をＣＤプレーヤ１の幅方向Ｘの中央に導き、挿入口１１を通されて機器本体３に挿入されたＣＤ２を前述した再生位置に案内する。即ち、案内機構部２６は、ＣＤ２の移動方向を案内する。このように、案内アーム３０は、アーム本体３３の一端部３３ａを中心として回転自在に設けられ、他端部３３ｂに設けられた突出ピン３４がＣＤ２と当接することで、機器本体３内に挿入されるＣＤ２を所定の位置としての再生位置に案内する。
【００５４】
さらに、案内機構部２６の案内アーム３０は、挿入口１１を通して機器本体３に出し入れされるＣＤ２の外縁が突出ピン３４に当接することで、ＣＤ２を機器本体３に出し入れする際に、ＣＤ２の移動と連動して、クランプアーム１８に対して回転する。則ち、案内アーム３０は、ＣＤ２を機器本体３に出し入れする際に、ＣＤ２の移動と連動して、機器本体３に対して移動する。
【００５５】
スライド機構部２７は、図２及び図４に示すように、連動レバー４０と、スライド部材４１とを備えている、連動レバー４０は、合成樹脂で構成され、かつ棒状に形成されている。連動レバー４０は、図３に示すように、クランプアーム１８の機器本体３の内側寄りの面に重ねられている。連動レバー４０は、長手方向の中央部を中心として、回転自在にクランプアーム１８に支持されている。連動レバー４０は、機器本体３の内側寄りの一端部４０ａが挿入口１１に向かう方向に、ばね４２によって付勢されている。連動レバー４０は、機器本体３の内側寄りの一端部４０ａが、機器本体内に挿入されるＣＤ２と当接可能に設けられ、該ＣＤ２が機器本体３の内側に挿入されるのに連動して、当該ＣＤ２の外縁によって押圧されて、一端部４０ａが挿入口１１から離れる方向に回転される。
【００５６】
スライド部材４１は、板金で構成され、かつ、クランプアーム１８の一方の側板１５寄りでかつ挿入口１１から離れた端部に設けられている。スライド部材４１は、クランプアーム１８上に重ねられる水平部４３と、該水平部４３の側板１５寄りの縁から厚み方向Ｚに沿って機器本体３の内側に立設した垂直部４４と、を備えている。スライド部材４１は、奥行き方向Ｙに沿ってスライド自在にクランプアーム１８に支持され、挿入口１１から離れる方向へ付勢されている。
【００５７】
スライド部材４１には、図６に示すように、連動レバー４０の他端部４０ｂが係合している。また、スライド部材４１には、押圧突起４５と、バーリング４６と、押圧部４７とが設けられている。押圧突起４５は、垂直部４４の長手方向即ち奥行き方向Ｙの中央に設けられている。押圧突起４５は、垂直部４４から幅方向Ｘに沿って、機器本体３の外側に突出している。押圧突起４５は、スライドラック２４の被押圧突起２２よりも挿入口１１から離れた側に配置され、該被押圧突起２２と奥行き方向Ｙに沿って並ぶ位置に配置されている。そして、押圧突起４５は、スライドラック２４の被押圧突起２２を奥行き方向Ｙに沿って、挿入口１１に向かって押圧可能な位置に配置されている。
【００５８】
バーリング４６は、垂直部４４の長手方向即ち奥行き方向Ｙの挿入口１１寄りの端部に設けられている。バーリング４６は、円筒状に形成され、かつ垂直部４４から幅方向Ｘに沿って、機器本体３の外側に突出している。バーリング４６は、スライドカム２１が挿入口１１に向かって移動して、クランプアーム１８とキャッリッジシャーシとが互いに近づくと、当該キャッリッジシャーシに設けられたばねによって、挿入口１１に向かって付勢される位置に配置されている。
【００５９】
押圧部４７は、水平部４３の長手方向即ち奥行き方向Ｙの挿入口１１寄りの端部に設けられている。押圧部４７は、水平部４３から厚み方向Ｚに沿って、機器本体３の外側に突出している。押圧部４７は、案内アーム３０の被押圧片３７よりも挿入口１１から離れた側に配置され、該被押圧片３７と奥行き方向Ｙに沿って並ぶ位置に配置されている。そして、押圧部４７は、案内アーム３０の被押圧片３７を奥行き方向Ｙに沿って、挿入口１１に向かって押圧可能な位置に配置されている。
【００６０】
前述した構成のスライド機構部２７は、機器本体３外にＣＤ２を排出した状態では、ばね４２の付勢力によって、連動レバー４０の一端部４０ａが挿入口１１寄りに位置付けられ、かつスライド部材４１が挿入口１１から最も離れた位置に配置されている。そして、スライド機構部２７は、機器本体３内にＣＤ２が挿入されるのにしたがって、連動レバー４０の一端部４０ａが該ＣＤ２の外縁から押圧されて、当該連動レバー４０の他端部４０ｂが挿入口１１に向かって移動する。その後、スライド機構部２７は、連動レバー４０の回転とともに、スライド部材４１が挿入口１１に向かって移動して、押圧突起４５がスライドラック２４の被押圧突起２２を挿入口１１に向かって押圧するとともに、押圧部４７が案内アーム３０の被押圧片３７を挿入口１１に向かって押圧する。さらに、スライド機構部２７は、バーリング４６がキャリッジシャーシに取り付けられたばねによって、挿入口１１に向かって付勢される。
【００６１】
移動部材駆動部２８は、図４に示すように、歯車部材４８を備えている。歯車部材４８は、図２４乃至図２６に示すように、互いに同軸に配置された第１及び第２の歯車４９，５０と、クラッチ部材としてのねじりコイルばね５５とを備えている。
【００６２】
第１の歯車４９は、合成樹脂で構成され、かつ図２６及び図２７に示すように、円環状の歯車本体５６と、円筒部５７とを一体に備えている。歯車本体５６と、円筒部５７とは、互いに同軸に配置されている。円筒部５７は、歯車本体５６の内縁部から立設している。また、歯車本体５６には、ねじりコイルばね５５の後述する腕部６２を固定するための固定溝５８が形成されている。固定溝５８は、歯車本体５６の円筒部５７が立設した側の表面から凹に形成され、一端が円筒部５７の内面に開口した直線状に延在している。さらに、歯車本体５６の外縁部には、歯が形成されている。
【００６３】
第２の歯車５０は、合成樹脂で構成され、かつ図２６及び図２８に示すように、円板状の歯車本体５９と、円柱状の軸部６０とを備えている。歯車本体５９と、軸部６０とは、互いに同軸に配置されている。軸部６０は、歯車本体５９の中央部から立設している。また、軸部６０は、ねじりコイルばね５５の後述するコイル部６１内に通されて、その基端部がコイル部６１内に位置付けられて、当該コイル部６１が取り付けられる。さらに、歯車本体５９の外縁部には、ラック部材５２と噛み合う歯が形成されている。
【００６４】
ねじりコイルばね５５は、鋼などの金属で構成された弾性体である線条材が適宜形状に形成されて得られる。ねじりコイルばね５５は、第２取付部としての弾性体のコイル部６１と、第１取付部としての腕部６２とを供えている。コイル部６１は、線条材が円筒状に巻回されて、全体としてコイル状（円筒状）に形成されており、その内径は軸部６０の外径と等しいかあるいはそれよりも若干小さくなっている。腕部６２は、直線状に延在しており、一端がコイル部６１の端に連なり、このコイル部６１から当該コイル部６１の外周方向に延在している。
【００６５】
前述したねじりコイルばね５５は、コイル部６１の内側に軸部６０が通されて、第２取付部としてのコイル部６１が第２の歯車５０に取り付けられ、腕部６２が固定溝５８内に収容されて第１の歯車４９に係止して、第１取付部としての腕部６２が第１の歯車４９に取り付けられる。また、軸部６０が第１の歯車４９の歯車本体５６内に通されて、第１の歯車４９と第２の歯車５０とが互いに取り付けられ、歯車部材４８が組み立てられる。このとき、コイル部６１は、円筒部５７内に収容される。
【００６６】
歯車部材４８は、その軸芯が幅方向Ｘと平行に配置され、かつ、第１の歯車４９が第２の歯車５０よりも機器本体３の内側に位置付けられて、一方の側板１５に回転自在に支持されている。歯車部材４８は、側板１５の長手方向即ち奥行き方向Ｙの中央部に配置されている。
【００６７】
また、前述した構成の歯車部材４８は、第１の歯車４９が第２の歯車５０に対して、図２４中の矢印Ａ方向（第１の方向に相当する）に回転する際には、ねじりコイルばね５５のコイル部６１の巻き方向（図２６に示すように右巻き）と逆方向（図２４において逆方向）に回転することによりコイル部６１の内径がさらに小さくなることがなく、軸部６０とコイル部６１とがスリップすることにより、この矢印Ａ方向の回転を第２の歯車５０に伝えない（に伝わることを規制する）。また、前述した構成の歯車部材４８は、第１の歯車４９が第２の歯車５０に対して、前述した矢印Ａ方向と逆向きの図２４中に示す矢印Ｂ方向（第２の方向に相当する）に回転する際には、ねじりコイルばね５５のコイル部６１の巻き方向と同方向（図２４において同方向）に回転することによりコイル部６１の内径がさらに小さくなることで軸部６０が締め付けられて、この矢印Ｂ方向の回転を第２の歯車５０に伝えて（伝えることを許容して）、当該第１の歯車４９と第２の歯車５０とを一体に回転させる。このように、歯車部材４８は、コイル部６１を構成する輪状の線条材同士が互いに離れる方向に押圧される方向に回転すると、コイル部６１の内径が縮小しない。また、歯車部材４８は、コイル部６１を構成する輪状の線条材同士が互いに密着する方向に押圧される方向に回転すると、コイル部６１の内径が縮小する。
【００６８】
このため、前述した構成の歯車部材４８は、第２の歯車５０が第１の歯車４９に対して、矢印Ｂ方向に回転する際には、ねじりコイルばね５５のコイル部６１が締め付けられることなく、この矢印Ｂ方向の回転を第１の歯車４９に伝えない（伝わることを規制する）。また、前述した構成の歯車部材４８は、第２の歯車５０が第１の歯車４９に対して、前述した矢印Ａ方向に回転する際には、ねじりコイルばね５５のコイル部６１が締め付けられて、この矢印Ａ方向の回転を第１の歯車４９に伝えて（伝えることを許容して）、当該第１の歯車４９と第２の歯車５０とを一体に回転させる。
【００６９】
さらに、前述した構成の歯車部材４８は、コイル部６１が軸部６０の外周に巻き付けられているので、第１の歯車４９が第２の歯車５０に対して、矢印Ｂ方向に回転する際に、第１の歯車４９の回転トルクが予め定められた所定のトルクを超えると、コイル部６１の内周面と軸部６０の外周面とが互いに滑って、当該所定のトルクを超えたトルクが第２の歯車５０に伝わることを規制する。このため、勿論、歯車部材４８は、コイル部６１が軸部６０の外周に巻き付けられているので、第２の歯車５０が第１の歯車４９に対して、矢印Ａ方向に回転する際に、第２の歯車５０の回転トルクが予め定められた所定のトルクを超えると、コイル部６１の内周面と軸部６０の外周面とが互いに滑って、当該所定のトルクを超えたトルクが第１の歯車４９に伝わることを規制する。
【００７０】
また、第１及び第２の歯車４９，５０のうちの機器本体３の内側寄りの第１の歯車４９は、伝達歯車２０と一体に形成されている。第１の歯車４９は、モータ４の駆動力により回転駆動される。このように、歯車部材４８は、駆動源としてのモータ４からの動力を伝達するために用いられている。
【００７１】
移動部２９は、図５に示すように、移動部材５１と、ラック部材５２と、付勢手段としてのコイルばね５３と、を備えている。移動部材５１は、板金で構成されかつクランプアーム１８の一方の側板１５寄りの縁部上に重ねられて配置されている。移動部材５１は、案内アーム３０の切欠き３５及びスライド部材４１の押圧部４７よりも挿入口１１寄りに配置されている。また、移動部材５１は、案内アーム３０の切欠き３５と当接可能な位置に配置されている。さらに、移動部材５１は、スライドカム２１の押圧突起２３よりも挿入口１１から離れた側に配置され、かつスライドカム２１の押圧突起２３と奥行き方向Ｙに沿って並べられているとともに、該スライドカム２１の押圧突起２３と当接可能な位置に配置されている。
【００７２】
ラック部材５２は、その長手方向が奥行き方向Ｙと平行に配置され、かつ該奥行き方向Ｙに沿ってスライド自在に側板１５に支持されている。ラック部材５２は、移動部材５１に取り付けられている。ラック部材５２は、第２の歯車５０と噛み合うことが可能な位置に配置されている。
【００７３】
コイルばね５３は、側板１５とラック部材５２とに掛け渡されており、ラック部材５２及び移動部材５１を挿入口１１に向かって付勢している。
【００７４】
前述した構成の移動部２９は、挿入口１１を通して機器本体３内にＣＤ２が挿入されるのにしたがって、案内アーム３０が回転して、切欠き３５によって移動部材５１が徐々に挿入口１１に向かって押圧される。なお、この際、モータ４の駆動力により矢印Ａに沿って回転する歯車４９の回転駆動力は歯車５０には伝達されないので、歯車５０に噛み合うラック部材５２の移動に伴い歯車５０が矢印Ａに沿って回転しても両者の歯車の回転は独立している。すると、第２の歯車５０が矢印Ａに沿って回転して、移動部材５１が徐々に挿入口１１に向かって移動する。そして、ラック部材５２と第２の歯車５０との噛み合いが外れて、コイルばね５３の付勢力によって、移動部材５１が案内アーム３０の切欠き３５から離れて、挿入口１１に向かって移動する。
【００７５】
また、移動部２９は、機器本体３内からＣＤ２を排出する際には、スライドカム２１が挿入口１１から離れる方向に移動させると、スライドカム２１の押圧突起２３によって、移動部材５１が挿入口１１から離れる方向に押圧される。そして、移動部２９のラック部材５２が第２の歯車５０と噛み合う。この際、モータ４の駆動力により矢印Ｂに沿って回転する歯車４９の回転駆動力は歯車５０に伝達されるのでラック部材５２、すなわち移動部材５１が移動する。このように、移動部材５１が搬送ローラ１７を駆動させるモータ４からの駆動力によって移動するとともに、移動部材駆動部２８によって移動される。
【００７６】
このとき、スライドカム２１の移動によってキャリッジシャーシとクランプアーム１８とが互いに遠ざかると、キャリッジシャーシに取り付けられたばねのバーリング４６への付勢が解除されてスライド部材４１が挿入口１１から離れる方向に移動し、案内アーム３０の他端部３３ｂがＣＤ２の外縁に当接する。ＣＤ２が排出されるのにしたがって、案内アーム３０は、アーム本体３３の他端部３３ｂ同士が近づく方向に回転する。
【００７７】
ここで、移動部材５１は、案内アーム３０のアーム本体３３の一端部３３ａと間隔をあけた状態で、挿入口１１から離れる方向に徐々に移動する。そして、機器本体３外にＣＤ２が排出されると、ＣＤ２の移動に伴い他端部３３ｂが挿入口１１に近づく方向へ移動することで切欠き３５が挿入口１１から離れる方向に移動するので、一端部３３ａと移動部材５１とが間隔をあけた状態のまま移動する。
【００７８】
前述した構成のＣＤプレーヤ１は、以下のように、動作する。まず、以下に示すように、機器本体３内にＣＤ２を挿入する。このとき、図６及び図７に示すように、一対の案内アーム３０のアーム本体３３の他端部３３ｂ同士が最も近づいているとともに、連動レバー４０の一端部４０ａが最も挿入口１１寄りに位置し、スライド部材４１が最も挿入口１１から離れた位置に位置付けられている。さらに、一方の案内アーム３０の切欠き３５の内縁と移動部材５１が当接しているとともに、ラック部材５２と第２の歯車５０とが噛み合っている。さらに、スライドラック２４と伝達歯車２０とは、互いに間隔をあけている。また、ディスクガイドと搬送ローラ１７とが、互いに近づき、キャリッジシャーシとクランプアーム１８とが互いに離れている。
【００７９】
この状態で、挿入口１１を通してＣＤ２が機器本体３内に挿入される。すると、機器本体３に設けられたスイッチなどが機器本体３内にＣＤ２が挿入されたことを検出する。そして、モータ４が駆動して、搬送ローラ１７をＣＤ２が機器本体３内に挿入される方向に回転駆動する。すると、歯車部材４８の機器本体３の内側寄りの第１の歯車４９は、矢印Ａ方向に空転して、この回転駆動力が第２の歯車５０に伝達しない。
【００８０】
搬送ローラ１７によって、ＣＤ２が機器本体３内に挿入されていくと、図８及び図９に示すように、他端部３３ｂ同士が離れる方向に案内アーム３０のアーム本体３３が回転するとともに、連動レバー４０の他端部４０ｂが挿入口１１に近づく方向に当該連動レバー４０が回転して、スライド部材４１が挿入口１１に向かって移動する。さらに、案内アーム３０の回転に連動して、該案内アーム３０の一端部３３ａによって押圧されて、移動部２９の移動部材５１が挿入口１１に向かって移動する。このとき、ワンウェイクラッチが前述した方向の回転を伝達しないので、ラック部材５２の挿入口１１に向かう移動に伴って、歯車部材４８の第１の歯車４９が矢印Ａ方向に空転する。
【００８１】
すると、スライドラック２４の被押圧突起２２にスライド部材４１の押圧突起４５が当接して、該押圧突起４５によって、スライドラック２４の被押圧突起２２が挿入口１１に向かって押圧される。すると、伝達歯車２０とスライドラック２４とが互いに近づく。さらに、図１０に示すように、機器本体３の奥にＣＤ２が挿入されると、伝達歯車２０とスライドラック２４とが互いに噛み合って、モータ４の駆動力によって、スライドラック２４が挿入口１１に向かって徐々に移動する。そして、スライドラック２４が所定の長さだけ移動するとその後はスライドラック２４とスライドカム２１とが一体となって挿入口１１に向かって移動する。このときも、図１１に示すように、案内アーム３０の突出ピン３４と、連動レバー４０の一端部４０ａがＣＤ２の外縁に当接している。また、スライド部材４１の押圧部４７が、案内アーム３０の被押圧片３７を押圧する。すると、ＣＤ２が再生位置に位置付けられる。
【００８２】
また、ＣＤ２が再生位置に位置付けられると、スライドカム２１のカム溝と複数のカムピンなどによって、搬送ローラ１７とディスクガイドとが互いに離れるとともに、クランプアーム１８とキャリッジシャーシとが互いに近づいて、ＣＤ２をクランプ再生ユニット６がクランプする。また、バーリング４６が、キャリッジシャーシのばねによって押圧されて、スライド部材４１がより挿入口１１に向かって移動する。そして、図１３に示すように、案内アーム３０の突出ピン３４と連動レバー４０の一端部４０ａがＣＤ２の外縁から離れる。さらに、ラック部材５２と第２の歯車５０との噛み合いが外れて、図１０及び図１２に示すように、コイルばね５３の付勢力によって、ラック部材５２と移動部材５１とが、挿入口１１に向かって更に移動する。そして、移動部材５１が、一方の案内アーム３０のアーム本体３３の一端部３３ａと間隔をあける。こうして、ＣＤプレーヤ１は、再生位置に位置付けられたＣＤ２をクランプ再生ユニット６でクランプして、当該ＣＤ２から情報を読み出して再生する。なお、この状態では、スライドラック２４と伝達歯車２０とが、互いに噛み合っている。
【００８３】
次に、ＣＤプレーヤ１は、以下のように、機器本体３内のＣＤ２を排出する。まず、モータ４が駆動すると、搬送ローラ１７をＣＤ２が機器本体３外に排出される方向に回転して、伝達歯車２０と噛み合ったスライドラック２４が挿入口１１から離れる方向に所定の長さだけ移動し、その後スライドラック２４とスライドカム２１とが一体となって移動する。すると、スライドカム２１の移動によってキャリッジシャーシとクランプアーム１８とが互いに遠ざかることでキャリッジシャーシに取り付けられたばねのバーリング４６への付勢が解除される。すると、図１５に示すように、スライド部材４１が挿入口１１から離れる方向に移動して、連動レバー４０の一端部４０ａと案内アーム３０の突出ピン３４がＣＤ２の外縁に当接する。また、図１４に示すように、スライドカム２１の押圧突起２３が、移動部２９の移動部材５１に当接して、当該移動部材５１を挿入口１１から離れる方向に押圧する。すると、コイルばね５３の付勢力に抗して、ラック部材５２が、挿入口１１から離れる方向に移動して、第２の歯車５０と噛み合う。このとき、第１の歯車４９とともに第２の歯車５０は、矢印Ｂ方向に回転している。
【００８４】
さらに、ＣＤ２を排出していくと、図１６及び図１７に示すように、ばね３２，４２の付勢力によって、突出ピン３４及び一端部４０ａがＣＤ２の外縁に当接した案内アーム３０のアーム本体３３及び連動レバー４０は、機器本体３から排出されるＣＤ２に追随して回転する。さらに、第２の歯車５０とラック部材５２とが噛み合っており、第２の歯車５０が第１の歯車４９と一体に矢印Ｂ方向に回転しているので、案内アーム３０の一端部３３ａと間隔をあけた状態で、移動部材５１が徐々に挿入口１１から離れる方向に移動する。このように、歯車部材４８の第１の歯車４９，５０とラック部材５２は、ＣＤ２を排出する際に、搬送ローラ１７とＣＤ２とが滑らないと、案内アーム３０の一端部３３ａと移動部材５１とが間隔をあける構成となっている。
【００８５】
そして、図１８及び図１９に示すように、突出ピン３４が互いに最も近づいた状態即ち初期位置に、一対の案内アーム３０が位置付けられて、ＣＤ２が機器本体３外に排出される。このときも、図１８に示すように、移動部材５１が案内アーム３０の一端部３３ａと間隔をあけている。さらに、モータ４が若干駆動して、図２０に示すように、移動部材５１が案内アーム３０の一端部３３ａと当接する。そして、図２１に示すように、突出ピン３４がそれ以上ＣＤ２を追随することができない初期位置においてはＣＤ２の一部がＣＤプレーヤ１から突出している。
【００８６】
また、前述したＣＤプレーヤ１は、ＣＤ２を排出する際に、例えば、図１６に示された状態で搬送ユニット５の搬送ローラ１７とＣＤ２とが互いに滑ると、ＣＤ２が機器本体３外に排出されないが、ラック部材５２が第２の歯車５０と噛み合っているので、移動部材５１が挿入口１１から離れる方向に移動する。すると、移動部材５１が案内アーム３０に近づいて、図２２に示すように、移動部材５１が案内アーム３０の一端部３３ａに当接する。
【００８７】
そして、モータ４の駆動力によって、移動部材５１がより挿入口１１から離れる方向に移動されて、当該移動部材５１によって一端部３３ａが押圧された案内アーム３０は、他端部３３ｂが互いに近づく方向に該移動部材５１から押圧される。そして、搬送ローラ１７とＣＤ２とが互いに滑っても、図２３に示すように、移動部材５１によって、案内アーム３０がＣＤ２を機器本体３外に排出する。なお、ここで、搬送ローラ１７とＣＤ２とが互いに滑るとは、搬送ローラ１７の一回転あたりにおけるＣＤ２の排出距離が前記搬送ローラ１７の外周に対応した長さ（図示例では、外周の長さ）より少ない状態（滑り状態）を示す。このように、押圧機構８の移動部２９の移動部材５１は、搬送ユニット５が機器本体３外にＣＤ２を排出する際に、当該搬送ユニット５とともにモータ４の駆動力によって駆動するとともに、搬送ユニット５の搬送ローラ１７とＣＤ２とが互いに滑ると、案内アーム３０を介して、ＣＤ２を機器本体３外に向かって押圧する。このとき、挿入口１１を手でふさぐ等によりＣＤ２の搬送経路に障害物が存在してＣＤ２の移動が規制されると、モータ４からの駆動力によって案内アーム３０の一端部３３aが移動できないＣＤ２を押圧し続けるので、駆動力を伝達する部材に過度のトルクがかかる。しかし、第１の歯車４９に作用する回転トルクが所定のトルクを超えると、コイル部６１と軸部６０とが互いに滑って第２の歯車５０に駆動力が伝達されないので、モータ４からの駆動力が案内アーム３０まで伝達されずに部材の破損を防ぐことができる。
【００８８】
また、前述した押圧機構８の移動部２９の移動部材５１は、搬送ユニット５が機器本体３外にＣＤ２を排出する際に、搬送ローラ１７とＣＤ２とが互いに滑ると、モータ４からの駆動力によって、奥行き方向Ｙに沿って移動することで、アーム本体３３の他端部３３ｂに設けられた突出ピン３４がＣＤ２を機器本体３外に排出する方向に、案内アーム３０のアーム本体３３の一端部３３ａを押圧する。
【００８９】
さらに、押圧機構８の移動部材駆動部２８が、ＣＤ２を機器本体３外に排出する際に移動部材５１を案内アーム３０の一端部３３ａと間隔をあけて移動させ、搬送ローラ１７とＣＤ２とが互いに滑るときには、移動部材５１を前記案内アーム３０の一端部３３ａに当接して移動させることで、移動部材５１に案内アーム３０を押圧させる。
【００９０】
また、押圧機構８が、他端部３３ｂがＣＤ２に近づく方向に案内アーム３０を付勢する付勢手段としてのばね３２を更に備え、かつ移動部材駆動部２８が、搬送ローラ１７とＣＤ２とが互いに滑らないと、案内アーム３０の一端部３３ａと間隔をあけて移動部材５１を移動させる構成となっている。さらに、押圧機構８が、案内アーム３０の他端部３３ｂをＣＤ２の外周に当接させてＣＤ２を排出方向の後方から押圧させる構成となっている。
【００９１】
本実施例によれば、第１の歯車４９と第２の歯車５０との間に設けられたねじりコイルばね５５のコイル部６１が、第１の歯車４９に作用する回転トルクが所定のトルクを超えると、第２の歯車５０の軸部６０に対して滑る。よって、歯車部材４８は、ワンウェイクラッチとトルクリミッタとの双方の機能を有している。
【００９２】
また、クラッチ部材を、第２取付部としてのコイル部６１と、第１取付部としての腕部６２とを有したねじりコイルばね５５としている。このため、簡便な構成でクラッチ部材即ち歯車部材４８を得ることができるとともに、回転時にコイル部６１の軸芯回りに回転するので、異音を発生させることがない。また、コイル部６１の内径が、軸部６０の外径以下である場合、回転時により確実に異音を発生させることがない。
【００９３】
さらに、ＣＤプレーヤ１は、前述した歯車部材４８を備えている。このため、ワンウェイクラッチとトルクリミッタとの双方の機能を有した歯車部材４８を備えているので、機器本体３即ちＣＤプレーヤ１全体の小型化を図ることができる。
【００９４】
また、ＣＤプレーヤ１の押圧機構８が前述した歯車部材４８を備えている。この場合、モータ４の動力伝達経路の歯車部材４８の以降に動力を伝達したり、動力を伝達しないようにしたり、伝達される回転トルクを所定のトルクを超えることを防止できる。
【００９５】
ＣＤ２を機器本体３外に排出する際に、搬送ユニット５の搬送ローラ１７とＣＤ２とが互いに滑ると、ＣＤ２を機器本体３外に向かって押圧する押圧機構８を備えているので、搬送ユニット５とＣＤ２とが互いに滑っても即ちＣＤ２が汚れていても、当該ＣＤ２を機器本体３外に確実な排出することができる。
【００９６】
また、押圧機構８が、一端部３３ａを中心として回転自在でかつ他端部３３ｂがＣＤ２に当接可能な案内アーム３０と、モータ４の駆動力によって案内アーム３０を押圧する移動部材５１とを備えている。このため、移動部材５１が案内アーム３０を押圧することで、当該案内アーム３０がＣＤ２を機器本体３外に向かって確実に押圧できる。
【００９７】
押圧機構８が、移動部材５１を案内アーム３０の一端部３３ａに向かって移動させて、当該案内アーム３０がＣＤ２を排出する方向に、当該ＣＤ２で案内アーム３０の一端部３３ａを押圧する移動部材駆動部２８を備えている。このため、案内アーム３０が確実にＣＤ２を機器本体３外に排出できる。
【００９８】
押圧機構８が、他端部３３ｂがＣＤ２に近づく方向に案内アーム３０を付勢する付勢手段としてのばね３２を備え、移動部材駆動部２８が、案内アーム３０の一端部３３ａと間隔をあけて移動部材５１を移動させる。このため、搬送ユニット５とＣＤ２とが互いに滑るまでは、案内アーム３０がＣＤ２を押圧しないので、ＣＤ２と搬送ユニット５の搬送ローラ１７とが不必要に擦れることを防止でき、ＣＤ２の表面が傷つくことなどを防止できる。また、押圧機構８が、案内アーム３０の他端部３３ｂをＣＤ２の外周に当接させてＣＤ２を排出方向の後方から押圧させるので、ＣＤ２の表面に油分や塵埃等が付着しても滑ることなくＣＤ２を排出できる。
【００９９】
前述した実施例では、記録媒体として、ディスク形記録媒体としてのＣＤ２を示している。しかしながら、本発明では、例えば、記録媒体としてのＭＤ（Mini Disc）、ＤＶＤ（Digital VersatileDisc）などの他の記録媒体を用いても良い。また、本発明では、ディスク形に限らず種々の形状の記録媒体を用いても良い。
【０１００】
また、前述した実施例では、記録媒体から情報を読み出す（情報を再生する）ＣＤプレーヤ１を示している。しかしながら、本発明では、記録媒体から情報を読み出す情報処理装置に限ることなく、例えば、情報を記録媒体に記録する記録装置や、情報の再生及び記録を行う情報記録再生装置としても適用可能しても良い。
【０１０１】
なお、前述した実施例は本発明の代表的な形態を示したに過ぎず、本発明は、実施例に限定されるものではない。即ち、本発明の骨子を逸脱しない範囲で種々変形して実施することができる。前述したクラッチ部材としてのねじりコイルばね５５を用いているが、本発明では、ねじりコイルばね５５以外の物品を用いても良い。また、前述した実施例では、第２取付部としてのコイル部６１と第２の歯車５０の軸部とを互いに滑らせているが、本発明では、第１取付部と第１の歯車４９とを互いに滑らせても良い。
【０１０２】
前述した実施例によれば、以下の歯車部材４８が得られる。
【０１０３】
（付記）  第１の歯車４９と、
この第１の歯車４９と同軸に配されて当該第１の歯車４９に取り付けられた第２の歯車５０と、
前記第１の歯車４９が前記第２の歯車５０に対して第１の方向Ａに回転する際に、当該第１の方向Ａの回転が前記第２の歯車５０に伝わることを規制し、かつ前記第１の歯車４９が前記第２の歯車５０に対して前記第１の方向Ａと逆向きの第２の方向Ｂに回転する際に、当該第２の方向Ｂの回転が前記第２の歯車５０に伝わることを許容するクラッチ部材５５と、を備えた歯車部材４８において、
前記クラッチ部材５５が、前記第１の歯車４９に取り付けられるコイル部６１と、前記第２の歯車５０に取り付けられる腕部６２と、備え、
前記第１の歯車４９が前記第２の歯車５０に対して前記第２の方向Ｂに回転する際に、前記第１の歯車４９の回転トルクが予め定められた所定のトルクを超えると、前記コイル部６１が滑る構成となっていることを特徴とする歯車部材４８。
【０１０４】
付記に記載の歯車部材４８は、第１の歯車４９と第２の歯車５０との間に設けられたねじりコイルばね５５のコイル部６１が、第１の歯車４９に作用する回転トルクが所定のトルクを超えると、第２の歯車５０の軸部６０に対して滑る。よって、歯車部材４８は、ワンウェイクラッチとトルクリミッタとの双方の機能を有している。
【図面の簡単な説明】
【０１０５】
【図１】本発明の一実施例にかかる情報処理装置としてのＣＤプレーヤの外観を示す斜視図である。
【図２】図１に示されたＣＤプレーヤの押圧機構などを示す斜視図である。
【図３】図２に示されたＣＤプレーヤの押圧機構などを下方からみた斜視図である。
【図４】図２に示された押圧機構などの要部を示す斜視図である。
【図５】図４に示された押圧機構の移動部などを示す斜視図である。
【図６】図１に示されたＣＤプレーヤにＣＤを挿入し始めた状態を示す要部の平面図である。
【図７】図６に示されたＣＤプレーヤの要部を下方からみた平面図である。
【図８】図６に示されたＣＤが機器本体内に更に挿入された状態を示す要部の平面図である。
【図９】図８に示されたＣＤプレーヤの要部を下方からみた平面図である。
【図１０】図８に示されたＣＤが機器本体内の再生位置に位置付けられた状態を示す要部の平面図である。
【図１１】図１０に示されたＣＤプレーヤの要部を下方からみた平面図である。
【図１２】図１０に示されたＣＤがクランプ再生ユニットでクランプされた状態を示す要部の平面図である。
【図１３】図１２に示されたＣＤプレーヤの要部を下方からみた平面図である。
【図１４】図１２に示されたＣＤプレーヤからＣＤが排出され始めた状態を示す要部の平面図である。
【図１５】図１４に示されたＣＤプレーヤの要部を下方からみた平面図である。
【図１６】図１４に示されたＣＤが機器本体内から更に排出された状態を示す要部の平面図である。
【図１７】図１６に示されたＣＤプレーヤの要部を下方からみた平面図である。
【図１８】図１６に示されたＣＤが機器本体内から更に排出された状態を示す要部の平面図である。
【図１９】図１８に示されたＣＤプレーヤの要部を下方からみた平面図である。
【図２０】図１８に示されたＣＤが機器本体内から完全に排出された状態を示す要部の平面図である。
【図２１】図２０に示されたＣＤプレーヤの要部を下方からみた平面図である。
【図２２】図１６に示されたＣＤが搬送ローラと滑った状態を示す要部の平面図である。
【図２３】図２２に示されたＣＤが機器本体内から完全に排出された状態を示す要部の平面図である。
【図２４】図１に示されたＣＤプレーヤの歯車部材の平面図である。
【図２５】図２４中のＡ−Ｂ−Ｃ−Ｄ−Ｅ線に沿う断面図である。
【図２６】図２４に示された歯車部材の分解斜視図である。
【図２７】図２４に示された歯車部材の第１の歯車とねじりコイルばねと第２の歯車の軸部を示す斜視図である。
【図２８】図２４に示された歯車部材の第２の歯車とねじりコイルばねを示す斜視図である。
【符号の説明】
【０１０６】
１  ＣＤプレーヤ（情報処理装置）
２  ＣＤ（記録媒体）
３  機器本体
４  モータ（駆動源）
５  搬送ユニット
６  クランプ再生ユニット
８  押圧機構
４８  歯車部材
４９  第１の歯車
５０  第２の歯車
５５  ねじりコイルばね（クラッチ部材）
６１  コイル部（第２取付部）
６２  腕部（第１取付部）
Ａ  第１の方向
Ｂ  第２の方向
【図１】
2008115873.tif 000003
【図２】
2008115873.tif 000004
【図３】
2008115873.tif 000005
【図４】
2008115873.tif 000006
【図５】
2008115873.tif 000007
【図６】
2008115873.tif 000008
【図７】
2008115873.tif 000009
【図８】
2008115873.tif 000010
【図９】
2008115873.tif 000011
【図１０】
2008115873.tif 000012
【図１１】
2008115873.tif 000013
【図１２】
2008115873.tif 000014
【図１３】
2008115873.tif 000015
【図１４】
2008115873.tif 000016
【図１５】
2008115873.tif 000017
【図１６】
2008115873.tif 000018
【図１７】
2008115873.tif 000019
【図１８】
2008115873.tif 000020
【図１９】
2008115873.tif 000021
【図２０】
2008115873.tif 000022
【図２１】
2008115873.tif 000023
【図２２】
2008115873.tif 000024
【図２３】
2008115873.tif 000025
【図２４】
2008115873.tif 000026
【図２５】
2008115873.tif 000027
【図２６】
2008115873.tif 000028
【図２７】
2008115873.tif 000029
【図２８】
2008115873.tif 000030